(57)【要約】      （修正有）【課題】デコーダ、連結カードリーダおよびアプリケーションシステムに対してなされたデコーダリーダおよびこれらの応用システムを提供する。【解決手段】デコーダは、紙カード、プラスチックカード、金属薄型カードおよび有機ガラス薄型カードからなる材料の群の少なくとも一つから形成されるカードベースを備える。カードベースの表面には導電性コーティングが塗布されている。導電性コーティングには複数の導電性ロジック表現領域が配置されている。異なる導電性ロジック表現領域は、個別に独立した導電特性を有する。このデコーダを他のデコーダと識別することができるよう、導電性コーティングの各導電性ロジック表現領域の導電特性が一体的に、一つの導電ロジックデータ符号（コーディング）を形成する。また、デコーダとともに用いられるカードリーダにも関する。データのセキュリティレベルを向上できる。【選択図】図２
0003186325.tif 000002
【実用新案登録請求の範囲】
【請求項１】
表面を有するカードベースを備えるデコーダであって、
前記カードベースの前記表面は導電性コーティングで被覆されており、
前記導電性コーティングには複数の導電性ロジック表現領域が配置されており、
各導電性ロジック表現領域は、個別の独立した導電特性を有しており、
前記デコーダを他のデコーダと識別することができるよう、前記導電性コーティングの各導電性ロジック表現領域の導電特性が一体的に、一つの導電ロジックデータコーディングを形成するデコーダ。
【請求項２】
請求項１に記載のデコーダであって、前記カードベースは、紙カード、プラスチックカード、金属薄型カードおよび有機ガラスカードからなる材料の群の少なくとも一つから選択されるデコーダ。
【請求項３】
請求項１に記載のデコーダであって、各導電性ロジック表現領域の導電特性は、前記導電ロジックデータコーディングのデータビットに対応し、前記導電性ロジックデータコーディングは、前記デコーダの各導電性ロジック表現領域の対応するデータビットによって、所定の順序に応じて形成されたデータ列であるデコーダ。
【請求項４】
請求項２に記載のデコーダであって、カードベースには文字列からなるシリアルナンバーが印刷されており、前記シリアルナンバーの各文字は、バーコード、英語のアルファベットおよび数字からなる態様の群の少なくとも一つから選択され、各デコーダカードのシリアルナンバーはその導電性ロジックデータコーディングに対応しており、各デコーダのシリアルナンバーは互いに独立しているデコーダ。
【請求項５】
請求項３に記載のデコーダであって、前記カードベースの前記表面は、印刷またはパッド印刷を用いて、伝達媒体としてカーボンフィルムを用いる導電性コーティングで被覆されており、前記導電性コーティングは、５００ｍＡ未満の小電流かつ５Ｖ未満の低電圧で、機能するのに適した電気特性を有するデコーダ。
【請求項６】
請求項４に記載のデコーダであって、各導電性ロジック表現領域は、接触点を有する認識回路を備え、
前記接触点は、開状態と短絡状態とを備えており、
各導電性ロジック表現領域の導電特性は、それ自身の認識回路の接触点の開状態と短絡状態とによって表されるデコーダ。
【請求項７】
請求項１に記載のデコーダに適用されるシステムであって、前記デコーダが挿入され、物理的接触によって前記デコーダの前記導電性ロジック表現領域と係合するスロットを備えるカードリーダを備えるシステム。
【請求項８】
請求項７に記載のシステムであって、前記デコーダの前記導電性ロジックデータコーディングは、スロットと、前記デコーダの前記導電性ロジック表現領域のそれぞれと、の間の物理的接触によって読み取られるシステム。
【請求項９】
請求項７に記載のシステムであって、さらに端末装置を備えており、
前記カードリーダは、前記導電性ロジックデータコーディングを暗号コードへと、コード変換式を含んでいる所定のデータプロトコルを用いて、コンパイルする電子コードプロセッサと、前記プロセッサに接続され、前記端末装置へ前記暗号コードを送信するデータポートと、をさらに備えているシステム。
【請求項１０】
請求項９に記載のシステムであって、前記データポートは、ＵＳＢ、ワイヤレスＷＩＦＩまたはｂｌｕｅ−ｔｏｏｔｈインターフェースを備えるシステム。
【請求項１１】
請求項７に記載のシステムであって、前記スロットと、前記デコーダの導電性ロジック表現領域のそれぞれと、の間の物理的接触は、マトリックス・マルチバス（ｍａｔｒｉｘ  ｍｕｌｔｉｂｕｓ）の態様であるシステム。
【請求項１２】
請求項９に記載のシステムであって、前記暗号コードは、１６〜２５６ビットのコードから形成される４〜８桁のコードを備えるシステム。
【請求項１３】
請求項９に記載のシステムであって、前記端末装置は、パーソナルコンピュータまたはモバイルデバイスであるシステム。
【請求項１４】
請求項９に記載のシステムであって、前記端末装置は、暗号コードを読み取り、関連するアプリケーションを実行する応用プロセッシングユニットを備えるシステム。
【請求項１５】
請求項９に記載のシステムであって、前記端末装置は、その連結されたカードリーダおよびデコーダを介して前記端末装置によって実行される、複数の個別に関連するアプリケーションをさらに備えており、
前記端末装置と、同じ関連するアプリケーションを実行する他の端末装置と、の間の関連するアプリケーションのメディアコンテンツが、ネットワークを介して連係されるシステム。
【考案の詳細な説明】
【技術分野】
【０００１】
本考案は、デコーダ、デコーダに対応するカードリーダおよびこれらの応用システムに関する。
【背景技術】
【０００２】
益々多くのディジタル製品が私たちの生活の一部になっている。アプリケーションソフトの応用に伴い、パソコン及びスマートフォンなどのモバイル機器はゲーム機能を備え、ユーザに様々な娯楽を供給している。開発者は、ゲームデータのセキュリティ機能を改善し、かつゲームの娯楽性を高める必要性に迫られている。
【考案の概要】
【考案が解決しようとする課題】
【０００３】
本願にかかるデコーダは、導電コーティングに覆われた表面を有するカードベースを含み、導電コーティングには複数の導電ロジック表現領域が設けられている。
【０００４】
各々の導電ロジック表現領域は、自身の有する識別回路の接点の開閉によって、それぞれの個別且つ独立した導電性を有しており、導電コーティング上の個々の導電ロジック表現領域の導電協同により、一のデコーダと他のデコーダを区別し、且つ特定のデコーダを識別することができる唯一の導電ロジックのデータコードを形成する。
【０００５】
本願の他の実施例では、カードリーダを含むデコーダ応用システムを提供する。ここで、カードリーダはデコーダ挿入用のスロットを含み、デコーダをスロットに挿入することにより物理的に導電ロジック表現領域とコンタクトできる。
【図面の簡単な説明】
【０００６】
【図１】本願の実施例におけるデコーダの応用システムの基本操作のフローチャート  である。
【図２】本願の実施例におけるデコーダとカードリーダとの連結状態を表わす模式図ある。
【図３】本願の他の実施例におけるデコーダとカードリーダとの連結状態を表わす模式図ある。
【図４】本願の他の実施例におけるデコーダとカードリーダとの連結状態を表わす模式図ある。
【図５】本願の実施例においてデコーダの応用システムの特定のオペレーションのフローチャートである。
【考案を実施するための形態】
【０００７】
以下、本考案に係る実施の形態について図面を用いて説明する。
【０００８】
本考案は、主に簡単且つ便利で、迅速且つ安価なアプリケーションシステムおよび方法を提供することができる。特別に作られたデコーダおよびこのデコーダと組み合わせたカードリーダを通じて、安全にデータを開くあるいは同期することはアプリケーションシステムに提供することができる。ここでいうアプリケーションとは、一連のアプリケーションソフト、ゲームおよびマルチメディアなどを含み、本考案により、これらのコンテンツのセキュリティの保護目的を達成することができる。
【０００９】
本考案の実施例に係るアプリケーションシステムは、主に下記のような三つのコンポーネントを含む。
【００１０】
第一コンポーネント：魅惑デコーダ(以下デコーダと称す)
デコーダは、紙カード、プラスチックカード、金属薄片カードあるいは有機ガラス薄片カードなど少なくとも一の材料で製造された薄片カードから選ばれたカードベースを備えている。もちろん、他の材料で製造されたカードベースを用いてもよい。カードベースの形状は通常のスマートカードに類似する形状、あるいは他の形状でもよい。
【００１１】
カードベースの表面には導電性コーティングで被覆されている。また、導電コーティングのカードベースにおける配置区域、面積などは予め規定された定義に基づいて設置することができる。導電コーティングは、炭素膜を媒体とし、印刷あるいはパッド印刷によりカードベースの表面上にコーティングされている。デコーダの製造過程において、導電コーティングには、多くの導電ロジック表現領域が設けられ、各々の導電ロジック表現領域は、それぞれの個別且つ独立した導電性を有する。言いかえれば、個々の導電ロジック表現領域の導電性質は、他の導電ロジック表現領域の導電性質と関連性を有せず、同じ性質又は異なる性質でもよい。このように、多くの導電ロジック表現領域の導電性質のグループは、デコードカードを定義する導電ロジックデータコードを形成する。個々の導電ロジック表現領域の導電性質は、自身の有する識別回路の接点の開閉によって定義される。デコーダ上で個々の導電ロジック表現領域の導電性質をセットする場合、デコーダ上のこれらの導電ロジック表現領域の協同により形成された導電ロジックデータコードはユニークで重複しないようにセットされるため、一のデコーダを識別することができ、且つ他のデコーダと区別することができる。個々の導電ロジック表現領域の導電性質は導電ロジックデータコードのデータビットに相当する。導電ロジックデータコードは、デコーダ上の個々の導電ロジック表現領域に対応するビットデータが所定の配置方法によってセットされ形成されたデータシーケンスである。さらに、カードベースには、一連の文字からなるシリアル番号が印刷されることもありうる。シリアル番号中の文字は、それぞれ少なくともバーコード、英語のアルファベットおよび数字から選ばれる。各デコーダのシリアル番号はその導電ロジックデータコードに相当する。各デコーダのシリアル番号は相互に独立している。その結果、不法なユーザが導電コーティングを変更しようとした場合、合法的な導電ロジックデータコードを生産することは殆ど不可能である。仮にある導電ロジックデータコードを変更できたとしても、変更した後の導電コーティングに形成された導電ロジックデータコードが該デコーダのシリアル番号に対応しないため、シリアル番号と導電ロジックデータコードとを一致させることはできない。デコーダは、通常の表面塗装および二面印刷技術により生産することができ、且つグループ単位で生産することができる。デコーダカードの生産中に、導電ロジック表現領域の組み合わせフォーマットが異なっており、重複しないため、PCB印刷およびエッチングのようなプロセスを経る必要がない。導電コーティングの電気的特性は小電流および低電圧の下のオペレーションに適している。小電流パラメーター範囲は、500mA未満であり、例えば80〜250mAでセットすることができる。低電圧パラメーター範囲は、5V未満であり、例えば1.2〜5ボルトでセットすることができる。
【００１２】
第二コンポーネント：カードリーダ
カードリーダは上記のデコーダを読むために特に設計された装置である。カードリーダは、デコーダの挿入用のスロットを含んでいる。デコーダが挿入された後、スロット内部の接続ポイントが、デコーダの対応する各導電ロジック表現領域にコンタクトされ、デコーダの導電ロジック表現領域の導電性質を読み取ることができる。デコーダは多くの導電ロジック表現領域を含んでいるため、スロットには対応する接続ポイントが提供されており、これらの導電ロジック表現領域の識別回路の接点とコンタクトするようにしている。スロットの接続ポイントは、マトリックス型マルチバス式接続ポイントを採用することができ、マルチ行列の十数バスあるいは数十バスを含んだものでもよい。このような構造により、ほぼ同時にデコーダ上の導電ロジック表現領域の導電性質を読み取ることができる。
【００１３】
カードリーダは、プロセッサーを備えている。プロセッサーは、スリットを介してデコーダと接続し、デコーダの個々の導電ロジック表現領域の導電性質を取得し、デコーダの導電ロジックデータコードを分析することができる。予めセットされたデータ協定(このデータ協定は「FWプロトコル」として知られている。それは1セットの予め定義したデータ変換ガイドライン(すなわちチェーン中の文字の別のグループへの予め定義したガイドラインによるチェーン中の一群の文字を変換するコード変換定式)を提供する)によって、プロセッサーは電子パスワードコード(第２コードと等価)として導電ロジックデータコードをコンパイルする。デコーダの導電ロジックデータコードがユニークで重複しないので、さらに、第２コードから形成された電子パスワードコードはユニークで重複しない。よって、データの起動あるいは同期の際、良好な暗号キーを提供することができる。電子パスワードコードのサイズはニーズによってセットすることができる。暗号コードは、16-256のビットコードから形成される4-8グループのコードを含んでもよい。カードリーダの導電ロジックデータコードは、物理的に変更することができないデータであり、ユニーク性を有しているため、場合によっては、拡張に適さない。第２コードを作成ことにより、ニーズによって調整し、通常なんら内容も記録しない導電ロジックデータコードを、対応プログラム、コンテンツあるいはその他の機能を起動することができるキーとして応用することができる。
【００１４】
カードリーダは、プロセッサーに接続するデータインタフェースを含んでいる。データインタフェースは、現存する標準データインタフェース、例えばワイヤーUSB（登録商標）インターフェース、あるいは無線のWIFI（登録商標）インターフェース、ブルートゥースインターフェースなどであってもよい。カードリーダは、データインタフェースを通して外部に端末装置を接続し、接続された端末装置へ電子パスワードコードを送信することができる。
【００１５】
すなわち、カードリーダの主な機能は、デコーダ上の導電コーティングデータを解読し、ロジック解読およびデータ変換を行なうことである。データはUSB（登録商標）インターフェースあるいは無線方法を通して端末装置へ送信され、その処理は以下のプロセスを含む:
１）デコーダ上の導電ロジックに対応するマッチング作業を行い、スロットとデコーダの間の接続によって、個々の導電ロジック表現領域の導電性質を取得する。
【００１６】
２）あらかじめセットされた解読編集協定を使用して、デコーダの導電ロジックデータコードを電子パスワードコードとして解読し編集する。
【００１７】
３） ワイヤー有りあるいはワイヤレスレスの標準データインタフェースにより、PCまたは携帯端末とオンラインコミュニケーションを行う。
【００１８】
第三コンポーネント：端末装置
端末装置は、マイクロソフトウィンドウズ（登録商標）、マック（登録商標）あるいはリナックス（登録商標）オペレーティングシステムを実行するコンピュータ、或いは標準的な知能機器、例えばChrome Book（登録商標）、又はスマートモバイルの装置、例えば、アップル（登録商標）のi-Touch（登録商標）、i-Phone（登録商標）、 i-Pad（登録商標）、アンドロイド（登録商標）などの携帯電話あるいは携帯型の装置でもよい。
【００１９】
端末装置は、電子パスワードコードを解読し、該電子パスワードコードに対応するアプリケーションを実行するアプリケーション処理装置を含む。端末装置には、通常中央処理装置(ここではアプリケーション処理装置と称する)が配置されている。端末装置とカードリーダ(デコーダは、カードリーダに既に挿入されている)との間の接続を通じて、端末装置は、カードリーダのデータインタフェースによって送信された電子パスワードコードを取得する。この電子パスワードコードを用いて、端末装置は特定のコンテンツを開き、アプリケーションソフトウェア上の命令を実行することができる。
【００２０】
電子パスワードコードは、データの起動、データの同期、指令の特定などに用いることができる。一つの実施例では、電子パスワードコードは、あるアプリケーションソフトを開くキーとして使われ、該アプリケーションソフトを実行することができる。他の実施例において、例えばゲームアプリケーションにおいて、電子パスワードコードはゲームに入るアクセス権を与えるだけではなく、該ゲームにおけるある特定のキャラクタの特定のオペレーションを提供することができる。以下に、図1に基づいて一例を説明する。
【００２１】
まず、「トランプゲーム」タイプのゲームを開発する。ゲームは、PCあるいはスマート携帯電話などの端末装置上で実行可能であり、複数のキャラクタと異なるキャラクタに対応する複数の属性を含んでいる。
【００２２】
次に、ゲームの異なるキャラクタおよびオペレーションを表わすデコーダを製作する。
デコーダ上には、対応する図案を描き、直観的に該デコーダに対応するゲームを表わすキャラクタおよびそれらの対応する属性を説明することができる。例えば、二セットのデコーダがあり、それぞれキャラクタセットとツールセットに対応するとする。キャラクタセットは、ゲームでの多数のキャラクタを含んでいる。ゲーム中のキャラクタはそれぞれ、攻撃力、防御力、生命力およびマナ力のような個性などを有している。ツールセットは多数のゲームツールを含み、異なるゲームツールはキャラクタのある個性或いは複数の個性を変更することができる。例えば、ある種の兵器カードは、ゲームにおけるキャラクタの攻撃性を増強することができる。異なるデコーダのキャラクタおよび対応する属性は、直接導電ロジックデータコードによって表示することができ、あるいは対応する第二コードの電子パスワードによって表示することができる。電子パスワードを用いることにより、より柔軟性を与え、場合によっては、印刷ミスによって導電ロジックデータコードがゲームにおけるキャラクタ及び属性と不一致の場合、でのそれぞれの属性を備えた、電子パスワードを用いて修正することができる。
【００２３】
さらに、上記のデコーダ解読専用のカードリーダを設計し、データインタフェースを介してカードリーダを端末装置に接続することができる。
【００２４】
デコーダがカードリーダのスロットに挿入された後、カードリーダは物理的接触によってデコーダの導電ロジックデータコードを読み取り、且つ予め定義したデータ協定に基づいて、対応する電子パスワードコードを編集することができる。その後、電子パスワードコードはデータインタフェースを通して端末装置へ送信することができる。
【００２５】
「トランプゲーム」を実行するゲームの端末装置は、電子パスワードを得た後に、電子パスワードによって表わされるゲームにおける、キャラクタおよびそれぞれの属性を解読する。その後、その後、ゲームにおける対応するキャラクタを作成(デコーダを始めて使用する場合するまたは削除することができ、それらの対応する属性を付与することができる。その結果、デコーダとの相互作用を実現することができる。
【００２６】
図1に示すように、操作手順は主として下記の通りである:
1) デコーダがカードリーダに挿入された後、カードリーダは物理的接触によってデコーダの導電ロジックデータコードを取得し、電子パスワードに編集する。
【００２７】
2) カードリーダはWIFI（登録商標）かUSB（登録商標）送信を通して端末装置へ電子パスワードを送信する。
【００２８】
3) 端末装置はカードリーダから送信されたデコーダデータ、すなわち電子パスワードと対応するデータをペアに組み合わせし、該データが関連応用プログラムか、すなわちゲームのデータか否かを確認する。
【００２９】
4) 組み合わせが成功した後、ペアになるデータをゲームに運用する。例えば、デコーダに代表されるキャラクタおよびそれらのオペレーションによって、ゲームにおける対応するキャラクタをコントロールする。
【００３０】
図2、3、4および5に示すように、デコーダC01がカードリーダR01に挿入された後、デコーダC01の導電コーティング上の導電ロジック表現領域とカードリーダスロットR02の物理接触ポイントとが互いに接触し、カードリーダR01が導電ロジックデータコードを得ることを可能となる。電源スイッチR03によって、カードリーダR01とデコーダC01の間の接触読み取り状態をコントロールする。カードリーダR01上には、さらに第１LED表示灯L01、第２LED表示灯L02、第３LED表示灯L03が設けられ、それぞれカードリーダと端末装置との接続状態、デコーダの読み取り不能状態又は再登録必要の状態、及びデコーダ読み取り可能か否かを表示することができる。
【００３１】
応用システムの具体的なワークフローは以下の通りである:
1）カードリーダR01が電源に接続される。端末装置はUSB（登録商標）あるいは無線プロトコルによるカードリーダに接続される。第１LED表示灯L01は、カードリーダは端末装置に接続されたことを表示する。
【００３２】
2）デコーダC01をカードリーダR01に挿入する。第３LED表示灯L03 はデコーダC01が読み取れたか否かを表示する。最初の読み取りが失敗した場合、第２LED表示灯L02は再登録が必要か否かを確認する。再登録しない場合、登録手順は終了し、カードリーダR01が閉じられる。再登録した場合、再度デコーダC01の読み取りを行う。再読み取りに失敗した場合、第２LED表示灯L02デコーダが読み取れないが、再チャレンジするかしないかを確認する。再チャレンジしない場合、登録手順は終了し、カードリーダR01が閉じられる。再チャレンジする場合、再度デコーダC01の読み取り作業を行う。
【００３３】
3) デコーダC01の読み取りに成功した場合、カードリーダR01のデータ変換プログラムにより、デコーダC01の導電ロジックデータコードを変換し、電子パスワードとして出力し、端末装置に送信する。
【００３４】
4) 端末装置は、電子パスワードが正確か否か、クラウドサーバーデータと同期させるか否かを確認する。Ｎｏの場合、別のデコーダの登録を行う。Ｙｅｓの場合、電子パスワードはクラウドサーバーに送信される。クラウドサーバーデータは、登録してプログラムを実行するかを確認する。データが既に登録されている場合、プログラムを実行のための再登録は必要ない。データが新しい場合、登録が要求される。登録しない場合、端末装置へ戻る。登録が確認され、または登録完了後に、プログラムを実行すべきか否かを確認する。Ｙｅｓの場合、プログラムを実行が始められる。Ｎｏの場合、登録手順は終了し、カードリーダが閉じられる。クラウドサーバーは現在のデコーダの登録が終了した後、別のデコーダの登録手順を開始する。
【００３５】
前述のように、導電ロジックデータコードは、物理的に変更不可である。不法なユーザがカード上のロジックデータを故意に変更した場合、次の状況が現れる:
a) データがシステム上で確立されていなかった場合、該カードは無効である。ユーザが上記の手続きを数回試みた場合、該ユーザのアカウントは自動的にロックされ、該カードリーダも自動的にロックされ、且つ機能を失う。サーバー管理者の確認により、人為的なカード改ざんによるエラーでない場合、該ユーザのアカウント、該カードリーダは再度復活される。この方法により、双方の合理的な特権を保護することができる。
【００３６】
b) データがシステム上で既に確立されたが、登録されていなかった場合、該ユーザが偶然一回で正確に推測することができる場合のみ、カードリーダの使用及び読み取りが可能である。そうでない場合、システムは、手動でシリアル番号の入力をユーザに要求する。第1〜第3回の入力が正しくなければ、該ユーザのアカウントは自動的にロックされ、該カードリーダも自動的にロックされ、且つ機能を失う。
【００３７】
c) データが既に登録された場合、システムは、手動でシリアル番号の入力をユーザに求める。第1〜第3回の入力が正しくなければ、該ユーザのアカウントは自動的にロックされ、該カードリーダも自動的にロックされ、且つ機能を失う。
【００３８】
d) データが既に登録され、手動で入力したシリアル番号が正確である場合、システムは当該コードと同じ番号を使用する別のユーザを自動的にロックする。システムは、２セットの同じコードの存在を許可しない。
本願は主に、ユーザが簡単な光学的複製技術によって権利侵害を行う行為を防止し、且つ比較的単純なシリアル番号起動方法の信頼性をアップさせることを目的とする。
【００３９】
本願の実施例におけるデコーダ上の導電ロジック表現領域の物理的接触ポイントは、多行列のマルチプレックスデータバスを形成する。通常のコンピュータまたは携帯型スマホ装置の共通インターフェースなどは、マルチバスのデータの入力に耐えられない場合がある。本願の実施例におけるカードリーダにおけるスロットは、マトリックス型のマルチバスの物理的接触形式によって、デコーダの導電ロジックデータコードを読むことができるように特別生産され、且つ物理的な導電ロジックデータは、ソフトウェアで一般に使用される電子データに変換される。カードリーダ上のロジックデータコードは公式に転換され、ユニークなロジックデータパスワードがユニークな電子パスワードに変更される。カードリーダは、さらにユーザからの異常なデータの入力または悪意を持ってデータシステムを破損する行為を防ぐことができる。
【００４０】
特許請求の範囲に記載したように、本願は次の特徴を有する。
【００４１】
デコーダは、電子暗号を読み取り送信する、カードリーダの特許請求の範囲に記載した方法に対応する導電性ロジックリーダと連結される、データ表現または識別方法として導電性コーティングの導電特性を用いる。導電特性が、導電性コーティングの外側を通じてはデコードできないパターン、図などの特性等の導線性コーティングの内側の物理的特性であるので、コピー機またはスキャナ等の機器で同じものが複製されることを防止できる。現在のところ、このようなコピーを行えるコピー機は市販されていない。導電性ロジックデータ符号（エンコーディング）が、直接的に接触する物理的態様の一種のロジック暗号コードであるので、比較的強いデータセキュリティーレベルを有するだけでなく、データを保存するフラッシュ、ＲＯＭ等のメモリを必要とするスマートカードの一般的な態様とは異なる。導電性ロジックデータ符号（エンコーディング）は、メモリを必要とせず、導電性コーティングの導電特性に直接的に記録できる。
【００４２】
デコーダの導電性ロジック表現または識別方法は、独立データを有する単一のカードとして設計されている。したがって、同じ役割において多くの異なるアイデンティティを有するゲームカードを、または動作が異なる同じ役割を有するゲームカードを提供できる。システムは、ユーザが所有する同じ種類のカードの数を識別できる。例えば、端末装置のゲームのメディアコンテンツ設計は、他のレベルにおいて文字役割として組み合わせて形成するために、メディアコンテンツの設計が十分に利用され拡張されるよう、同じ文字役割を有する１０〜２０のカードを所有することをユーザに要求することができる。
【００４３】
すべてのパーツのデータの接続および送信の方法は、デコーダとカードリーダとの間のものに加えて、標準仕様の方法の設計を用いる。したがって、アプリケーションレベル、汎用性および大衆性が保証され、本願の態様における応用システムおよび方法を、一または複数の標準端末装置で用いられるのに適当なものとでき、プラットフォームを越えて実行できる。例えば、同じ応用プロシージャを開始し、共有ネットワーク上の多くの端末装置間でゲームのメディアコンテンツを連係させる。
【００４４】
本願の態様における応用システムおよび方法は、標準的な端末装置（一般的であり異なるブランドのものである家庭用ＰＣ、ビジネス用ＰＣ、ノートブック、スマートフォン、またはスマートシステムデバイス等を含む）への応用に適した設計であり、ＰＣまたはノートブックのハードウェアまたはソフトウェアを変更するまたは再設計する必要なしに、通常通り用いることができる。ＰＣまたはスマートデバイスの将来のメンテナンスも影響を受けないであろう。
【００４５】
本願の態様における応用システムおよび方法では、カードの態様のメディアを開く方法の新しい設計が、アプリケーションおよび連係機能を実行するよう用いられる。このような機能は、個人データまたは私的事項に関する機密情報を含んでおらず、プライバシーまたは機密情報の漏洩に関係する問題が含まれないであろう。これにより、不当なユーザが正規のユーザのアカウントを盗むことを効果的に防止できる。正規のユーザは、単にカードを取り出すだけでよく、直ちに検証できる。これにより、正規のユーザのカードデータおよびユーザの応用プロシージャにける仮想対象を効果的に保護することができる。なぜなら、カードの所有が実際の物理的証拠だからである。
【００４６】
デコーダの導電性ロジックデータ符号（エンコーディング）は、データを自動的に同期させるために特有のカードリーダを用いる、ユーザは、使用し始める前に、一回の登録プロシージャを実行する必要があるだけである。登録されたデコーダは、指定の小売店またはサービス店で自由に取引できる。指定のサービス店または小売店はユーザのアカウント内の登録されたデコーダの状況を読み取り、転送できる。デコーダは独立して識別されるが、各カードは重複することがなく、個別に独立した安全なコンポーネントである。その機能は、応用プロシージャまたはゲームで用いられる対応するデータまたはメディアを単に開くことである。応用プロシージャまたはゲームプロシージャは、カード媒体をガイダンスとして用いる。通常、８０〜１００のカードメディアを、アプリケーションや動作に用いることができる。このように、一の機密保持方法で所有される。同時に、メディアコンテンツと連結されるカードの拡張性は非常に高い。
【００４７】
本願の態様のアプリケーションシステムおよび方法は、以下の利点を有する。
【００４８】
１）ユーザは、標準構成を有する端末装置（一般的であり異なるブランドである家庭用ＰＣ、ビジネス用ＰＣ、ノートブック、スマートフォン、スマートシステムデバイス等を含む）のアプリケーションを変更する必要がなく、端末装置にセキュリティコンポーネントをインストールする必要もない。ユーザは、標準的な端末装置（標準的なブランドまたは標準的でないブランドのＰＣ、ノートブック、携帯スマートデバイス、Ｉ−Ｐｈｏｎｅ（登録商標）などのスマートフォン、iＰａｄ（登録商標）、iＴｏｕｃｈ（登録商標）、アンドロイド（登録商標）Ｐｈｏｎｅ等）や標準的なオペレーティングシステム（マイクロソフトのウィンドウ・システム（登録商標）、マック（登録商標）ＯＳ、iＯＳ（登録商標）、アンドロイド（登録商標）、Ｌｉｎｕｘ（登録商標）、ＭｅｅＧｏ（登録商標）等）を用いるだけでよく、ユーザはハードウェアまたはソフトウェアも変更する必要がなく、応用プロシージャまたはゲームプロシージャを実行できる。カードリーダが端末装置へ接続された後、登録プロシージャは素早く完了し、応用プロシージャ、ゲームプロシージャ等を実行できる。
【００４９】
２）標準仕様の接続がデータ通信方法として適用され、ユーザの端末装置（一般的であり異なるブランドである家庭用ＰＣ、ビジネス用ＰＣ、ノートブック、スマートフォン、スマートシステムデバイス等を含む）の保証規定に影響しない。異なる端末装置においては、生成された応用プロシージャまたはゲームプロシージャは、カードリーダから送信された電子暗号をデコードするためのソフトウェアプロシージャをインストールするだけでよい。データは、あらゆる端末装置に適用または機能でき、プラットフォームを横断して使えるアプリケーション（クロス・プラットフォーム・アプリケーション）を実現する。適用性、実用性および大衆性が大きく向上する。
【００５０】
３）動作方法は、標準動作仕様用いて生成され、端末装置のハードウェアまたはソフトウェアを変更する必要なしに適用できる。ユーザは、無用な損失またはリスクを負う必要がない。
【００５１】
４）デコーダが一度登録されると、無期限に使用できる。カード上のデータまたはメディアデータは、登録ユーザのアカウントと同期するだけである。カード登録後に、もしユーザが不注意で遺失したり破損したりした場合でも、ユーザアカウント内のデータは影響を受けない。上記の状況が起こったとしても、大部分のユーザは、せいぜいデコーダの取引を行うことができないだけで、実際には経済的損失を被ることがない。
【００５２】
上に特定の態様を組み合わせて本願を説明したが、本願の特定の態様はこれら説明に限定されない。本願の技術における通常の知識を有する者は、本願考案の概念から逸脱することなく変形または変更を行うことができよう。このような変形または変更もまた本願の保護の範囲内である。
【図１】
0003186325.tif 000003
【図２】
0003186325.tif 000004
【図３】
0003186325.tif 000005
【図４】
0003186325.tif 000006
【図５】
0003186325.tif 000007